(57)【特許請求の範囲】
【請求項１】
キャプチャ装置は、予め定められた複数の測定地点ごとに、前記複数の測定地点で同一の測定時間の間、複数のアクセスポイントと端末装置との無線通信で送受信されるフレームを取得して蓄積し、
測定装置は、前記キャプチャ装置に蓄積されたフレームを基にして、同一の各測定時間の間に、前記端末装置が何台のアクセスポイントと無線通信を行ったのかを示すローミング安定状況と、前記アクセスポイントの電波強度と、前記フレームのリトライ率と、前記フレームのビットレートとを分析し、
前記測定装置は、前記測定地点を一意に識別する識別情報と、前記測定時間の開示時刻および終了時刻と、前記ローミング安定状況と、前記電波強度と、前記リトライ率と、前記ビットレートとを対応付けた分析結果データを生成して記憶装置に登録し、
前記測定装置は、前記分析結果データを表示装置に表示する際に、前記ローミング安定状況に対応する前記電波強度が、所定の電波強度未満となる場合に、前記電波強度の数値を強調表示し、前記リトライ率が所定のリトライ率以上になる場合に、前記リトライ率の数値を強調表示し、前記ビットレートが所定のビットレート未満である場合に、前記ビットレートの数値を強調表示する
処理を実行することを特徴とする測定方法。
【請求項２】
前記キャプチャ装置は、前記複数のアクセスポイントと複数の端末装置との無線通信でそれぞれ送受信されるフレームを取得して蓄積し、
前記測定装置は、前記アクセスポイントと複数の端末装置との無線通信でそれぞれ送受信されるフレームを基にして、前記ローミング安定状況と、前記電波強度と、前記リトライ率と、前記ビットレートとをそれぞれ分析し、アクセスポイントと端末装置との組と、前記分析結果データとを対応付けて出力することを特徴とする請求項１に記載の測定方法。
【請求項３】
前記キャプチャ装置は、前記アクセスポイントを介して、サーバ装置から前記端末装置に向けて送信されるフレームと、前記端末装置から前記サーバ装置に向けて送信されるフレームとを取得して蓄積することを特徴とする請求項１、２に記載の測定方法。
【発明の詳細な説明】
【技術分野】
【０００１】
本発明は、測定方法に関する。
【背景技術】
【０００２】
無線ＬＡＮ（Local  Area  Network）では、通信が遅い、切れやすいといった通信品質のトラブルが発生することがある。作業員は、トラブルの原因を特定する場合に、例えば、無線端末を配置して、ＡＰ（Access  Point）を介したサーバとの無線通信を実行させ、無線端末とサーバとの間で送受信されるフレームをキャプチャし、フレームを分析する作業を行う。
【０００３】
商業施設や病院、オフィスビル等で、無線ＬＡＮのトラブルが発生した場合には、作業員は、複数の部屋に移動しつつ、上述した作業を繰り返し行うことになる。なお、無線ＬＡＮ品質の評価を適切に行うためには、作業員は、各部屋でフレームをキャプチャする測定時間を同一にしつつ、キャプチャしたフレームを保存する際に、開始時刻、終了時刻、測定地点等の属性情報を付加することが望ましい。
【０００４】
ここで、無線ＬＡＮのトラブルの原因は、多岐にわたる。例えば、トラブルの原因には、無線ＬＡＮシステムの設計ミス、業務内外のトラフィックの大きさ、電波強度、ノイズ、機器故障、無線ＬＡＮ以外の要因が含まれる。
【０００５】
また、無線ＬＡＮの通信品質のトラブルの評価方法は、多岐にわたる。例えば、設計ミスか否かを調査するためには、設計や設定の見直しを行う。業務トラフィックの大きさを評価するためには、ＬＡＮ監視装置を用いてトラフィック量を調べる。業務外トラフィックを調べるためには、該当するアクセスポイントの調査を行う。電波強度を評価するためには、フロア内の地点での電波強度の分布の調査を行う。ノイズを評価するためには、スペクトルアナライザによる調査を行う。機器故障を評価するためには、機器のメンテナンスマニュアルの調査を行う。
【０００６】
なお、従来技術には、測定ツールを用いて、無線ＬＡＮのＡＰにアソシエートし、特定のデータフレームをＡＰに連続送信しながら、トラブルの原因となり得る送信フレームのビットレートとリトライ率を測定するものがある。
【先行技術文献】
【特許文献】
【０００７】
【特許文献１】特表２００５−５０６７２１号公報
【発明の概要】
【発明が解決しようとする課題】
【０００８】
しかしながら、上述した従来技術では、複数の測定地点において、無線ＬＡＮの通信品質を適切に評価することができないという問題がある。
【０００９】
例えば、病院等では、作業員が作業できる時間が限られる場合がある。このため、短時間で、作業員が各部屋でフレームをキャプチャする測定時間を同一にしつつ、キャプチャしたフレームを保存する際に、各種の属性情報を付加する作業は、作業員による人為的ミスが発生しやすく、無線ＬＡＮの通信品質を適切に評価できない。
【００１０】
また、測定ツールを用いる従来技術では、測定ツールの特性パラメタと、ユーザが現場で利用する業務用端末の特性パラメタと異なるため、業務用端末の無線ＬＡＮトラブルを分析できない場合がある。例えば、測定ツールでは、無線ＬＡＮのトラブルが発生しない場合でも、業務用端末を用いると、無線ＬＡＮのトラブルが発生する場合がある。
【００１１】
１つの側面では、本発明は、複数の測定地点において、無線ＬＡＮの通信品質を適切に評価することができる測定方法を提供することを目的とする。
【課題を解決するための手段】
【００１２】
第１の案では、キャプチャ装置および測定装置が、下記の処理を実行する。キャプチャ装置は、予め定められた複数の測定地点ごとに、複数の測定地点で同一の測定時間の間、アクセスポイントと端末装置との無線通信で送受信されるフレームを取得して蓄積する。測定装置は、キャプチャ装置に蓄積されたフレームを基にして無線通信の特徴を分析し、分析結果を出力する。
【発明の効果】
【００１３】
複数の測定地点において、無線ＬＡＮの通信品質を適切に評価することができる。
【図面の簡単な説明】
【００１４】
【図１】図１は、本実施例のシステムの構成を示す図である。
【図２】図２は、フレームのデータ構造の一例を示す図である。
【図３】図３は、フレームの経路と第１〜第４アドレスに格納されるＭＡＣアドレスとの関係を示す図である。
【図４】図４は、本実施例に係るキャプチャ装置の構成を示す機能ブロック図である。
【図５】図５は、フレーム格納テーブルのデータ構造の一例を示す図である。
【図６】図６は、本実施例に係る測定装置の構成を示す機能ブロック図である。
【図７】図７は、ＡＰリストのデータ構造の一例を示す図である。
【図８】図８は、端末リストのデータ構造の一例を示す図である。
【図９】図９は、分析結果データのデータ構造の一例を示す図（１）である。
【図１０】図１０は、分析結果データのデータ構造の一例を示す図（２）である。
【図１１】図１１は、各チャンネルの電波占有率の一例を示す図である。
【図１２】図１２は、本実施例に係るキャプチャ装置の処理手順を示すフローチャートである。
【図１３】図１３は、本実施例に係る測定装置の処理手順を示すフローチャートである。
【発明を実施するための形態】
【００１５】
以下に、本願の開示する測定方法の実施例を図面に基づいて詳細に説明する。なお、この実施例によりこの発明が限定されるものではない。
【実施例】
【００１６】
本実施例に係るシステムの構成の一例について説明する。図１は、本実施例に係るシステムの構成を示す図である。図１に示すように、本実施例に係るシステムでは、ＡＰ（Access  Point）５０ａ，５０ｂ，５０ｃ，５０ｄ，５０ｅ，５０ｆと、サーバ５６とを有する。以下の説明では、ＡＰ５０ａ〜５０ｆをまとめて、適宜、ＡＰ５０と表記する。ＡＰ５０およびサーバ５６は、ネットワーク５５を介して相互に接続される。
【００１７】
台車５は、移動式の台車であり、作業員は、台車５を各病室１〜４に移動させる。移動式の台車５には、ユーザ端末６０ａ，６０ｂ、キャプチャ装置７０が搭載される。また、台車５には、ユーザ端末６０ａ，６０ｂおよびキャプチャ装置７０に電源供給を行うバッテリー６が搭載される。以下の説明では、ユーザ端末６０ａ，６０ｂをまとめて、適宜、ユーザ端末６０と表記する。
【００１８】
台車５に搭載されたユーザ端末６０ａ，６０ｂは、無線ＬＡＮ（Local  Area  Network）によって、ＡＰ５０に接続される。
【００１９】
ユーザ端末６０は、病院の職員が実際に利用する端末装置であり、ＰＤＡ（Personal  Data  Assistance）やノートパソコン等に対応する。ユーザ端末６０は、ＡＰ５０、ネットワーク５５を介して、サーバ５６とフレームを送受信する。
【００２０】
図２は、フレームのデータ構造の一例を示す図である。図２に示すように、このフレームは、ＰＨＹ（Physical）ヘッダ、第１アドレス、第２アドレス、第３アドレス、シーケンス制御（Sequence  Control）情報、第４アドレス、データを有する。このうち、ＰＨＹヘッダは、物理的な接続形式に関する情報を有するヘッダであり、変換方式、ビットレート、受信タイミング等の情報を有する。シーケンス制御情報は、各フレームに付される通し番号である。データは、ユーザデータに対応する。
【００２１】
第１アドレス〜第４アドレスは、フレームの宛先となる端末装置のＭＡＣ（Media  Access  Control）アドレス、フレームの送信元となる端末装置のＭＡＣアドレスを格納する。第１アドレス〜第４アドレスのうち、どのアドレスにどのＭＡＣアドレスが格納されるのかは、フレームの経路によって異なる。
【００２２】
図３は、フレームの経路と第１〜第４アドレスに格納されるＭＡＣアドレスとの関係を示す図である。経路識別情報「１Ａ」のように、フレームの経路が「端末装置（無線）→ＡＰ５０→端末装置（無線）」の場合は、第１アドレスに「宛先端末装置のＭＡＣアドレス」が格納され、第２アドレスに「送信元端末装置のＭＡＣアドレス」が格納され、第３アドレスに「ＢＳＳ（Basic  Service  Set）ＩＤ」が格納される。なお、端末装置（無線）は、図１のユーザ装置６０のように、無線ＬＡＮによって、ＡＰ５０に接続するものに対応する。
【００２３】
経路識別情報「１Ｂ」のように、フレームの経路が「端末装置（有線）→有線ＬＡＮ→ＡＰ→端末装置（無線）」の場合は、第１アドレスに「宛先端末装置のＭＡＣアドレス」が格納され、第２アドレスに「ＢＳＳＩＤ」が格納され、第３アドレスに「送信元端末装置のＭＡＣアドレス」が格納される。なお、端末装置（有線）は、ネットワークに有線で接続するものに対応する。図１において、端末装置（有線）の説明は省略する。
【００２４】
経路識別情報「１Ｃ」のように、フレームの経路が「端末装置（無線）→有線ＬＡＮ→ＡＰ→端末装置（有線）」の場合は、第１アドレスに「ＢＳＳＩＤ」が格納され、第２アドレスに「送信元端末装置のＭＡＣアドレス」が格納され、第３アドレスに「宛先端末装置のＭＡＣアドレス」が格納される。
【００２５】
経路識別情報「１Ｄ」のように、フレームの経路が「端末装置（有線）→有線ＬＡＮ→ＡＰ（１）→電波→ＡＰ（２）→有線ＬＡＮ→端末装置（有線）」の場合は、第１アドレスに「ＡＰ（２）のＭＡＣアドレス」が格納され、第２アドレスに「ＡＰ（１）のＭＡＣアドレス」が格納され、第３アドレスに「宛先端末装置のＭＡＣアドレス」が格納され、第４アドレスに「送信元端末装置のＭＡＣアドレス」が格納される。なお、電波は、例えば、異なるＡＰ５０の間で送受信される電波に対応する。
【００２６】
ところで、無線ＬＡＮ上では、データフレーム、管理フレーム、制御フレームの３種類のフレームが流れる。データフレームは、エンドユーザのデータパケットを運ぶフレームである。管理フレームは、ユーザ端末６０とＡＰ５０との接続を管理するフレームである。制御フレームは、データパケットのフロー制御や送達確認のためのフレームである。
【００２７】
例えば、送信元デバイス（ユーザ端末６０またはＡＰ５０）は、データフレームを送信先デバイス（ユーザ端末６０またはＡＰ５０）に送信した後に、送信先デバイスからの応答（ＡＣＫ）を待つ。送信先デバイスは、データフレームを受信すると、応答を送信元デバイスに送信する。
【００２８】
送信元デバイスは、応答を受信すると、次のデータフレームを、より高いビットレートの変調方式で送信する。これに対して、送信元デバイスは、応答を受信しない場合には、次回のデータフレームを、より低いビットレートの変調方式でリトライ（再送）する。送信元デバイスは、データフレームをリトライする場合には、データフレームに、このデータフレームが再送フレームである旨の情報を格納する。
【００２９】
基本的に、ビットレートが高ければデータ転送速度は高速になるが、変調方式がノイズに弱くなり、リトライが発生しやすくなる。リトライ率が大きいと、送信元デバイスが送信したフレームが送信先デバイスで受信されるまでの時間が大きくなる。この結果、エンド・エンド間のデータ転送スループットが低下する。
【００３０】
本実施例では、特に区別する場合を除いて、データフレーム、管理フレーム、制御フレームをまとめて、フレームと表記する。
【００３１】
図１の説明に戻る。ＡＰ５０は、無線ＬＡＮによってユーザ端末６０と接続し、データ通信を行う装置である。図１に示す例では、ＡＰ５０は、ユーザ端末６０ａ，６０ｂと無線ＬＡＮによって接続し、ユーザ端末６０ａ，６０ｂは、ＡＰ５０を介して、サーバ５６にフレームを送信する。
【００３２】
サーバ５６は、ＡＰ５０を介して、ユーザ端末６０とフレームを送受信する装置である。サーバ５６は、ユーザ端末６０からフレームを受信した場合には、受信したフレームの応答を、ユーザ端末６０に送信する。また、本実施例では、通信量を確保するために、サーバ５６から、ユーザ端末６０に対して、フレームを連続して送信する。例えば、作業員は、ユーザ端末６０ａ，６０ｂのアドレスを、サーバ５６に設定しておき、サーバ５６は、設定されたアドレスを宛先に設定して、フレームを連続で送信する。
【００３３】
キャプチャ装置７０は、ユーザ端末６０と、ＡＰ５０との間で無線ＬＡＮを介して送受信されるフレームをキャプチャする装置である。例えば、作業員は、台車を病室に移動させた後、静止して、キャプチャ装置７０にキャプチャの開始指示を行う。キャプチャ装置７０は、開始指示を受け付けると、事前に設定された「測定時間」だけ、フレームのキャプチャを行い、キャプチャしたフレームを保存する。測定時間は、病室によらず、同一の時間となる。
【００３４】
キャプチャ装置７０は、キャプチャしたフレームを保存する場合に、付加情報を付与する。付加情報には、測定地点、測定開始時刻、測定終了時刻の情報が含まれる。測定地点は、病室を一意に識別する情報である。測定開始時刻は、キャプチャの取得を開始した時刻である。測定終了時刻は、キャプチャの取得を終了した時刻である。測定開始時刻から測定終了時刻までの時間が、上記測定時間に対応する。
【００３５】
キャプチャ装置７０は、各病室に移動する度に、上記処理を繰り返し実行する。
【００３６】
続いて、図１に示したキャプチャ装置７０の構成の一例について説明する。図４は、本実施例に係るキャプチャ装置の構成を示す機能ブロック図である。図４に示すように、キャプチャ装置７０は、フレーム取得部７１と、入力部７２と、表示部７３と、タイマ７４と、記憶部７５と、制御部７６と、インタフェース部７７とを有する。
【００３７】
フレーム取得部７１は、ＡＰ５０とユーザ端末６０との無線ＬＡＮ通信で送受信される全てのフレームを取得（キャプチャ）する処理部である。フレーム取得部７１は、取得したフレームを登録部７６ａに出力する。
【００３８】
入力部７２は、各種のデータを制御部７６に入力する入力装置である。例えば、入力部７２は、入力ボタン、タッチパネル等に対応する。例えば、作業員は、入力部７２を操作して、測定時間の情報、病室名等の測定地点の情報を行う。また、作業員は、入力部７２を操作して、キャプチャ装置７０にキャプチャの開始指示を行う。
【００３９】
表示部７３は、制御部７６から出力されるデータを表示する表示装置である。例えば、表示部７３は、液晶ディスプレイやタッチパネル等に対応する。タイマ７４は、現在時刻の情報を、制御部７６に出力する装置である。
【００４０】
記憶部７５は、測定時間情報７５ａ、フレーム格納テーブル１４１を有する。記憶部７５は、例えば、ＲＡＭ（Random  Access  Memory）、ＲＯＭ（Read  Only  Memory）、フラッシュメモリ（Flash  Memory）などの半導体メモリ素子などの記憶装置に対応する。
【００４１】
測定時間情報７５ａは、キャプチャ装置７０がキャプチャを実行する場合の測定時間の情報である。後述するように、各病室における測定時間は、同一である。本実施例では一例として、測定時間を「６０秒」とするが、作業員は、測定時間を適宜更新しても良い。
【００４２】
フレーム格納テーブル１４１は、フレーム取得部７１によって取得されたフレームを格納するテーブルである。図５は、フレーム格納テーブルのデータ構造の一例を示す図である。図５に示すように、このフレーム格納テーブル１４１は、複数のフレーム群３０ａ，３０ｂ，３０ｃを有する。説明の便宜上、フレーム群３０ａ〜３０ｃを示すが、その他のフレーム群が含まれているものとする。以下の説明では、適宜、フレーム群３０ａ〜３０ｃをまとめて、フレーム群３０と表記する。
【００４３】
各フレーム群３０は、測定時間情報７５ａに設定された測定時間の間、各病室で取得されたフレームを格納する。例えば、フレーム群３０ａは、病室１で取得されたフレームを格納する。フレーム群３０ｂは、病室２で取得されたフレームを格納する。フレーム群３０ｃは、病室３で取得されたフレームを格納する。
【００４４】
各フレーム群３０は、付属情報３５ａ，３５ｂ，３５ｃが含まれる。以下の説明では、適宜、付属情報３５ａ〜３５ｃをまとめて、付属情報３５と表記する。付属情報３５には、測定地点、測定開始時刻、測定終了時刻の情報が含まれる。測定地点、測定開始時刻、測定終了時刻に関する説明は、上記の説明と同様である。
【００４５】
各フレーム群３０では、フレームと、このフレームの属性情報とを対応付けて格納する。フレームの属性情報は、例えば、該当するフレームのビットレートの情報、該当するフレームがリトライによるフレームであるか否かの情報が含まれる。
【００４６】
各フレーム群３０には、電波強度情報３６ａ，３６ｂ，３６ｃが含まれる。以下の説明では、電波強度情報３６ａ〜３６ｃをまとめて、電波強度情報３６と表記する。電波強度情報３６は、各病室における各ＡＰ５０の電波強度の情報が含まれる。例えば、電波強度情報３６ａでは、病室１におけるＡＰ５０ａ〜５０ｆの電波強度の情報が含まれる。電波強度は、測定時間内の各ＡＰ５０の平均電波強度である。
【００４７】
図４の説明に戻る。制御部７６は、登録部７６ａを有する。制御部７６は、例えば、ＡＳＩＣ（Application  Specific  Integrated  Circuit）や、ＦＰＧＡ（Field  Programmable  Gate  Array）などの集積装置に対応する。また、制御部７６は、例えば、ＣＰＵ（Central  Processing  Unit）やＭＰＵ（Micro  Processing  Unit）等の電子回路に対応する。
【００４８】
登録部７６ａは、フレーム取得部７１がキャプチャしたフレームの情報を、フレーム格納テーブル１４１に登録する処理部である。以下において、登録部７６ａの処理の一例について説明する。
【００４９】
登録部７６ａは、入力部７２から開始指示を受け付けると、測定時間情報７５ａに設定された測定時間の間、フレーム取得部７１から取得するフレームと、フレームの属性情報とを対応付けて、フレーム格納テーブル１４１に登録する。また、登録部７６ａは、タイマ７４から出力される現在時刻の情報を基にして、測定開始時刻および測定終了時刻の情報を付属情報３５に登録する。
【００５０】
登録部７６ａは、入力部７２から、測定地点の情報を受け付けると、受け付けた測定地点の情報を、付属情報３５に登録する。登録部７６ａは、病室に設置されたビーコンから信号を検出した際に、ビーコンの信号種別と、病室とを対応付けたテーブル等を用いて、測定地点の情報を自動的に検出しても良い。更に、登録部７６ａは、上記テーブルと、ビーコンの信号とを基にして、特定の測定地点の到達したことを検出した場合に、入力部７２から開始指示を受け付けた場合と同様の処理を実行しても良い。
【００５１】
また、登録部７６ａは、入力部７２から開始指示を受け付けた場合に、図示しない電波測定装置から、各ＡＰ５０の電波強度の情報を取得する。登録部７６ａは、ＡＰ５０の電波強度の情報を、電波強度情報３６に登録する。例えば、ＡＰ５０の電波強度の情報は、測定時間の平均の電波強度とする。
【００５２】
インタフェース部７７は、各種の外部装置と接続してデータ通信を実行するインタフェースである。例えば、インタフェース部７７は、後述する測定装置と接続し、データ通信を実行する。
【００５３】
作業員は、台車５を各病室に移動させて、キャプチャ装置７０にフレームのキャプチャを実行させた後に、キャプチャ装置７０を測定装置に接続する。測定装置は、キャプチャ装置７０から、キャプチャ結果となるフレーム格納テーブル１４１を取得し、フレーム格納テーブル１４１を基にして、各病室における無線ＬＡＮの特徴を分析する装置である。
【００５４】
図６は、本実施例に係る測定装置の構成を示す機能ブロック図である。図６に示すように、この測定装置１００は、インタフェース部１１０と、入力部１２０と、表示部１３０と、記憶部１４０と、制御部１５０とを有する。
【００５５】
インタフェース部１１０は、各種の外部装置と接続するインタフェースである。例えば、インタフェース部１１０は、上記のキャプチャ装置７０と接続し、データ通信を実行する。
【００５６】
入力部１２０は、各種のデータを制御部１５０に入力する入力装置である。例えば、入力部１２０は、キーボードやマウス、入力ボタン、タッチパネル等に対応する。
【００５７】
表示部１３０は、制御部１５０から出力されるデータを表示する表示装置である。例えば、表示部１５０は、液晶ディスプレイやタッチパネル等に対応する。
【００５８】
記憶部１４０は、フレーム格納テーブル１４１、ＡＰリスト１４２、端末リスト１４３、分析結果データ１４４を有する。記憶部１４０は、例えば、ＲＡＭ、ＲＯＭ、フラッシュメモリなどの半導体メモリ素子などの記憶装置に対応する。
【００５９】
フレーム格納テーブル１４１は、上記のキャプチャ装置７０によってキャプチャされたフレームを格納するテーブルである。フレーム格納テーブル１４１のデータ構造は、図５で説明したデータ構造と同様である。
【００６０】
ＡＰリスト１４２は、各ＡＰ５０の無線通信に関する情報を有する。図７は、ＡＰリストのデータ構造の一例を示す図である。図７に示すように、このＡＰリスト１４２は、ＡＰ名と、ＭＡＣアドレスと、ＳＳＩＤ（Service  Set  Identifier）と、チャンネル情報と、無線ＬＡＮ規格とを対応付ける。ＡＰ名は、ＡＰ５０の名称である。ＭＡＣアドレスは、該当するＡＰ５０のＭＡＣアドレスを示す。ＳＳＩＤは、ＡＰ５０を一意に識別する情報である。チャンネル情報は、該当するＡＰ５０が利用するチャンネルを示す。無線ＬＡＮ規格は、該当するＡＰ５０が利用する無線ＬＡＮの規格を示す。
【００６１】
例えば、図７において、ＡＰ５０ａのＭＡＣアドレスは「００：０１：０２：０３：０４：０５：０６」であり、ＳＳＩＤは「ＳＳＩＤＡ」、利用するチャンネルは「１ｃｈ」、無線ＬＡＮ規格が「８０２．１１ｇ」である旨が示される。例えば、ＡＰ５０ａでは、２．４ＧＨｚ帯用のＭＡＣアドレス（００：０１：０２：０３：０４：０５：０６）と５ＧＨｚ帯用のＭＡＣアドレス（００：０１：０２：０３：０４：０５：０７）を別々に持っている。同様に、ＡＰ５０ｃ，５０ｅ，５０ｆも２つのＭＡＣアドレスを持っている。
【００６２】
端末リスト１４３は、ユーザ端末６０に割り当てられたＭＡＣアドレスの情報を有する。図８は、端末リストのデータ構造の一例を示す図である。図８に示すように、この端末リスト１４３は、端末名と、ＭＡＣアドレスとを対応付ける。端末名は、ユーザ端末６０の名称である。ＭＡＣアドレスは、該当するユーザ端末６０のＭＡＣアドレスを示す。例えば、図８において、ユーザ端末６０ａのＭＡＣアドレスは「ＡＡ：ＢＢ：ＣＣ：ＤＤ：ＥＥ：ＦＦ」である旨が示される。
【００６３】
分析結果データ１４４は、フレーム格納テーブル１４１に基づく無線ＬＡＮの特徴の分析結果を示す情報である。分析結果データ１４４は、ユーザ端末６０毎の分析結果を有する。ここでは一例として、ユーザ端末６０ａの分析結果データ１４４ａと、ユーザ端末６０ｂの分析結果データ１４４ｂとを示す。以下の説明では、分析結果データ１４４ａと分析結果データ１４４ｂとをまとめて、適宜、分析結果データ１４４と表記する。
【００６４】
図９および図１０は、分析結果データのデータ構造の一例を示す図である。図９および図１０に示す分析結果データは、ユーザ端末６０ａおよびユーザ端末６０ｂに対応して各々作成される。図９および図１０に示すように、分析結果データ１４４は、測定地点、測定開始時刻、測定終了時刻、データフレーム数、平均ビットレート、リトライ率、最高ビットレートをそれぞれ対応付ける。また、分析結果データ１４４は、測定地点と、ローミング安定状況と、ローミング通信状況とを対応付ける。
【００６５】
測定地点、測定開始時刻、測定終了時刻に関する説明は、上記の説明と同様である。
【００６６】
データフレーム数について説明する。データフレーム数は、受信と送信とを含む。データフレーム数の受信は、測定開始時刻から測定終了時刻までの測定時間に、ユーザ端末６０がＡＰ５０から受信したフレーム数である。データフレーム数の送信は、測定時間に、ユーザ端末６０がＡＰ５０に送信したデータフレーム数である。
【００６７】
平均ビットレートについて説明する。平均ビットレートは、受信と送信とを含む。平均ビットレートの受信は、測定開始時刻から測定終了時刻までの測定時間に、ユーザ端末６０がＡＰ５０から受信したデータフレームに基づく平均ビットレートである。平均ビットレートの送信は、測定時間に、ユーザ端末６０がＡＰ５０に送信したデータフレームに基づく平均ビットレートである。
【００６８】
リトライ率について説明する。リトライ率は、受信と送信とを含む。リトライ率の受信は、測定開始時刻から測定終了時刻までの測定時間に、ユーザ端末６０がＡＰ５０から受信したフレームに基づき算出されるリトライ率である。リトライ率の送信は、測定時間に、ユーザ端末６０がＰＡ５０に送信したデータフレームに基づき算出されるリトライ率である。
【００６９】
最高ビットレートについて説明する。最高ビットレートは、受信と送信とを含む。最高ビットレートの受信は、測定開始時刻から測定終了時刻までの測定時間に、ユーザ端末６０がＡＰ５０から受信したデータフレームに基づく最高ビットレートである。最高ビットレートの送信は、測定時間に、ユーザ端末６０がＰＡ５０に送信したデータフレームに基づく最高ビットレートである。
【００７０】
ローミング安定状況について説明する。ローミング安定状況は、測定開始時刻から測定終了時刻までの測定時間に、ＡＰ５０を構成するＡＰの内の何台とデータフレームを送受信したかを示すものである。例えば、測定時間に、ＡＰ５０（例えば、ＡＰ５０ａ）と接続し、他のＡＰ５０に切り替えない場合には、ローミング安定状況は「１」となる。測定時間に、ＡＰ５０（例えば、ＡＰ５０ａ）と接続し、他のＡＰ５０（例えば、ＡＰ５０ｂ）に切り替えた場合には、ローミング安定状況は「２」となる。
【００７１】
ローミング通信状況について説明する。ローミング通信状況は、ＡＰ５０の情報と対応付けて、ユーザ端末６０が、ＡＰ５０と送受信を行ったデータフレームの総数および電波強度の情報を示す。ＡＰ５０の情報は、無線ＬＡＮ規格、チャンネル情報、ＳＳＩＤ、ＡＰ名、ＭＡＣアドレスを含む。
【００７２】
例えば、ＡＰ５０ａのローミング通信状況について説明する。測定地点「病室１」について、ＡＰ５０ａのローミング通信状況は「４０５（−４１ｄＢｍ）」となっている。このため、測定地点「病室１」において、ユーザ端末６０ａは、ＡＰ５０ａとデータフレームを送受信し、その総数が「４０５」であることを示す。総数は、データフレーム数の受信「２０７」、送信「１９８」を加算した値と等しくなる。また、ＡＰ５０ａの電波強度が「−４１ｄＢｍ」であることを示す。
【００７３】
図６の説明に戻る。制御部１５０は、受付部１５１および分析部１５２を有する。制御部１５０は、例えば、ＡＳＩＣや、ＦＰＧＡなどの集積装置に対応する。また、制御部１５０は、例えば、ＣＰＵやＭＰＵ等の電子回路に対応する。
【００７４】
受付部１５１は、インタフェース部１１０を介して、フレーム格納テーブル１４１を受け付ける処理部である。受付部１５１は、フレーム格納テーブル１４１の情報を受け付けた場合には、受け付けたフレーム格納テーブル１４１を記憶部１４０に登録する。
【００７５】
分析部１５２は、フレーム格納テーブル１４１、ＡＰリスト１４２、端末リスト１４２を基にして、無線ＬＡＮの特徴を分析し、分析結果データ１４４を生成する処理部である。以下において、分析部１５２が、分析結果データ１４４に含まれるデータフレーム数、平均ビットレート、リトライ率、最高ビットレート、ローミング安定状況、ローミング通信状況を算出する処理の一例について説明する。
【００７６】
分析部１５２が、分析結果データ１４４の「データフレーム数の受信」を計算する処理の一例について説明する。ここでは一例として、測定地点「病室１」におけるユーザ端末６０ａと、各ＡＰ５０とのデータフレーム数の受信を計算する場合について説明する。
【００７７】
分析部１５２は、フレーム格納テーブル１４１の測定地点「病室１」に対応するフレーム群３０ａを取得する。分析部１５２は、フレーム群３０ａに含まれる複数のフレームのうち、送信元がＡＰ５０ａ〜５０ｆの何れかのＭＡＣアドレスとなり、かつ、送信先がユーザ端末６０ａのＭＡＣアドレスとなるフレームの数を、データフレーム数の受信として計算する。分析部１５２は、ＡＰ５０ａ〜５０ｆのＭＡＣアドレスを、ＡＰリスト１４２に基づき判定し、ユーザ端末６０ａのＭＡＣアドレスを、端末リスト１４３に基づき判定する。
【００７８】
分析部１５２が他の測定地点「病室ｎ」におけるユーザ端末６０と、各ＡＰ５０とのデータフレーム数の受信を計算する処理は、上記処理と同様であるため、説明を省略する。分析部１５２は、計算したデータフレーム数の受信を、分析結果データ１４４に登録する。
【００７９】
分析部１５２が、分析結果データ１４４の「データフレーム数の送信」を計算する処理の一例について説明する。ここでは一例として、測定地点「病室１」におけるユーザ端末６０ａと、各ＡＰ５０とのデータフレーム数の受信を計算する場合について説明する。
【００８０】
分析部１５２は、測定地点「病室１」に対応するフレーム格納テーブル１４１のフレーム群３０ａを取得する。分析部１５２は、フレーム群３０ａに含まれる複数のフレームのうち、送信先がＡＰ５０ａ〜５０ｆの何れかのＭＡＣアドレスとなり、かつ、送信元がユーザ端末６０ａのＭＡＣアドレスとなるフレームの数を、データフレーム数の送信として計算する。
【００８１】
分析部１５２が他の測定地点「病室ｎ」におけるユーザ端末６０と、各ＡＰ５０とのデータフレーム数の送信を計算する処理は、上記処理と同様であるため、説明を省略する。分析部１５２は、計算したデータフレーム数の送信を、分析結果データ１４４に登録する。
【００８２】
続いて、分析部１５２が分析結果データ１４４の「平均ビットレートの受信」を計算する処理の一例について説明する。ここでは一例として、測定地点「病室１」におけるユーザ端末６０ａと、各ＡＰ５０との平均ビットレートの受信を計算する場合について説明する。
【００８３】
分析部１５２は、フレーム格納テーブル１４１の測定地点「病室１」に対応するフレーム群３０ａを取得する。分析部１５２は、フレーム群３０ａに含まれる複数のフレームのうち、送信元がＡＰ５０ａ〜５０ｆの何れかのＭＡＣアドレスとなり、かつ、送信先がユーザ端末６０ａのＭＡＣアドレスとなるフレームを特定する。分析部１５２は、特定した各フレームの属性情報からビットレートを抽出し、抽出したビットレートの平均値を算出することで、平均ビットレートの受信を算出する。
【００８４】
分析部１５２が他の測定地点「病室ｎ」におけるユーザ端末６０と、各ＡＰ５０との平均ビットレートの受信を計算する処理は、上記処理と同様であるため、説明を省略する。分析部１５２は、計算した平均ビットレートの受信を、分析結果データ１４４に登録する。
【００８５】
続いて、分析部１５２が分析結果データ１４４の「平均ビットレートの送信」を計算する処理の一例について説明する。ここでは一例として、測定地点「病室１」におけるユーザ端末６０ａと、各ＡＰ５０との平均ビットレートの送信を計算する場合について説明する。
【００８６】
分析部１５２は、フレーム格納テーブル１４１の測定地点「病室１」に対応するフレーム群３０ａを取得する。分析部１５２は、フレーム群３０ａに含まれる複数のフレームのうち、送信先がＡＰ５０ａ〜５０ｆの何れかのＭＡＣアドレスとなり、かつ、送信元がユーザ端末６０ａのＭＡＣアドレスとなるフレームを特定する。分析部１５２は、特定した各フレームの属性情報からビットレートを抽出し、抽出したビットレートの平均値を算出することで、平均ビットレートの送信を算出する。
【００８７】
分析部１５２が他の測定地点「病室ｎ」におけるユーザ端末６０と、各ＡＰ５０との平均ビットレートの送信を計算する処理は、上記処理と同様であるため、説明を省略する。分析部１５２は、計算した平均ビットレートの送信を、分析結果データ１４４に登録する。
【００８８】
続いて、分析部１５２が分析結果データ１４４の「リトライ率の受信」を計算する処理の一例について説明する。ここでは一例として、測定地点「病室１」におけるユーザ端末６０ａと、各ＡＰ５０とのリトライ率の受信を計算する場合について説明する。
【００８９】
分析部１５２は、フレーム格納テーブル１４１の測定地点「病室１」に対応するフレーム群３０ａを取得する。分析部１５２は、フレーム群３０ａに含まれる複数のフレームのうち、送信先がＡＰ５０ａ〜５０ｆの何れかのＭＡＣアドレスとなり、かつ、送信元がユーザ端末６０ａのＭＡＣアドレスとなるフレーム（第１フレーム）を特定する。分析部１５２は、特定した各第１フレームの属性情報から、再送フレームを特定する。分析部１５２は、第１フレーム数に含まれる再送フレーム数の割合を、リトライ率の受信として算出する。
【００９０】
分析部１５２が他の測定地点「病室ｎ」におけるユーザ端末６０と、各ＡＰ５０とのリトライ率の受信を計算する処理は、上記処理と同様であるため、説明を省略する。分析部１５２は、計算したリトライ率の受信を、分析結果データ１４４に登録する。
【００９１】
続いて、分析部１５２が分析結果データ１４４の「リトライ率の送信」を計算する処理の一例について説明する。ここでは一例として、測定地点「病室１」におけるユーザ端末６０ａと、各ＡＰ５０とのリトライ率の送信を計算する場合について説明する。
【００９２】
分析部１５２は、フレーム格納テーブル１４１の測定地点「病室１」に対応するフレーム群３０ａを取得する。分析部１５２は、フレーム群３０ａに含まれる複数のフレームのうち、送信先がＡＰ５０ａ〜５０ｆの何れかのＭＡＣアドレスとなり、かつ、送信元がユーザ端末６０ａのＭＡＣアドレスとなるフレーム（第２フレーム）を特定する。分析部１５２は、特定した各第２フレームの属性情報から、再送フレームを特定する。分析部１５２は、第２フレーム数に含まれる再送フレーム数の割合を、リトライ率の送信として算出する。
【００９３】
分析部１５２が他の測定地点「病室ｎ」におけるユーザ端末６０と、各ＡＰ５０とのリトライ率の送信を計算する処理は、上記処理と同様であるため、説明を省略する。分析部１５２は、計算したリトライ率の送信を、分析結果データ１４４に登録する。
【００９４】
続いて、分析部１５２が分析結果データ１４４の「最高ビットレートの受信」を計算する処理の一例について説明する。ここでは一例として、測定地点「病室１」におけるユーザ端末６０ａと、各ＡＰ５０との最高ビットレートの受信を計算する場合について説明する。
【００９５】
分析部１５２は、フレーム格納テーブル１４１の測定地点「病室１」に対応するフレーム群３０ａを取得する。分析部１５２は、フレーム群３０ａに含まれる複数のフレームのうち、送信元がＡＰ５０ａ〜５０ｆの何れかのＭＡＣアドレスとなり、かつ、送信先がユーザ端末６０ａのＭＡＣアドレスとなるフレームを特定する。分析部１５２は、特定した各フレームの属性情報からビットレートを抽出し、抽出したビットレートの最高値を特定することで、最高ビットレートの受信を算出する。
【００９６】
分析部１５２が他の測定地点「病室ｎ」におけるユーザ端末６０と、各ＡＰ５０との最高ビットレートの受信を計算する処理は、上記処理と同様であるため、説明を省略する。分析部１５２は、計算した最高ビットレートの受信を、分析結果データ１４４に登録する。
【００９７】
分析部１５２が分析結果データ１４４の「最高ビットレートの送信」を計算する処理の一例について説明する。ここでは一例として、測定地点「病室１」におけるユーザ端末６０ａと、各ＡＰ５０との最高ビットレートの送信を計算する場合について説明する。
【００９８】
分析部１５２は、フレーム格納テーブル１４１の測定地点「病室１」に対応するフレーム群３０ａを取得する。分析部１５２は、フレーム群３０ａに含まれる複数のフレームのうち、送信先がＡＰ５０ａ〜５０ｆの何れかのＭＡＣアドレスとなり、かつ、送信元がユーザ端末６０ａのＭＡＣアドレスとなるフレームを特定する。分析部１５２は、特定した各フレームの属性情報からビットレートを抽出し、抽出したビットレートの最高値を特定することで、最高ビットレートの送信を算出する。
【００９９】
分析部１５２が他の測定地点「病室ｎ」におけるユーザ端末６０と、各ＡＰ５０との最高ビットレートの送信を計算する処理は、上記処理と同様であるため、説明を省略する。分析部１５２は、計算した最高ビットレートの送信を、分析結果データ１４４に登録する。
【０１００】
続いて、分析部１５２が分析結果データの「ローミング安定状況」を分析する処理の一例について説明する。ここでは一例として、測定地点「病室１」におけるユーザ端末６０ａと、各ＡＰ５０とのローミング安定状況を計算する場合について説明する。
【０１０１】
分析部１５２は、フレーム格納テーブル１４１の測定地点「病室１」に対応するフレーム群３０ａを取得する。分析部１５２は、フレーム群３０ａに含まれる複数のフレームのうち、「送信先がＡＰ５０ａ〜５０ｆの何れかのＭＡＣアドレスとなり、かつ、送信元がユーザ端末６０ａのＭＡＣアドレス」となるデータフレームまたは「送信元がＡＰ５０ａ〜５０ｆの何れかのＭＡＣアドレスとなりかつ送信先がユーザ端末６０ａのＭＡＣアドレス」となるデータフレームを特定する。分析部１５２は、特定した各データフレームの送信先に着目し、送信先の切り替わりが発生しているか否かを判定する。
【０１０２】
分析部１５２は、送信先の切り替わりが発生していない場合には、ローミング安定状況を「１」と判定する。また、分析部１５２は、送信先の切り替わりが発生している場合には、切り替わり回数に応じて、ローミング安定状況を判定する。例えば、分析部１５２は、フレームの送信先が「ＡＰ５０ａ」、「ＡＰ５０ｂ」、「ＡＰ５０ａ」の順にデータフレームを送受信した場合には、ローミング安定回数を「３」と判定する。
【０１０３】
分析部１５２が他の測定地点「病室ｎ」におけるユーザ端末６０と、各ＡＰ５０とのローミング安定状況を分析する処理は、上記処理と同様であるため、説明を省略する。分析部１５２は、分析したローミング安定状況を、分析結果データ１４４に登録する。
【０１０４】
続いて、分析部１５２が分析結果データの「ローミング通信状況」を分析する処理の一例について説明する。ここでは一例として、測定地点「病室１」におけるユーザ端末６０ａと、ＡＰ５０ａとのローミング通信状況を分析する場合について説明する。
【０１０５】
分析部１５２は、フレーム格納テーブル１４１の測定地点「病室１」に対応するフレーム群３０ａを取得する。分析部１５２は、フレーム群３０ａに含まれる電波強度情報３６ａに基づき、病室１におけるＡＰ５０ａの電波強度を特定する。
【０１０６】
また、分析部１５２は、フレーム群３０ａに含まれる複数のデータフレームのうち、送信先がＡＰ５０ａのＭＡＣアドレスとなり、かつ、送信元がユーザ端末６０ａのＭＡＣアドレスとなるデータフレームを特定する。また、分析部１５２は、フレーム群３０ａに含まれる複数のデータフレームのうち、送信元がＡＰ５０ａのＭＡＣアドレスとなり、かつ、送信先がユーザ端末６０ａのＭＡＣアドレスとなるデータフレームを特定する。分析部１５２は、特定したデータフレームのデータフレーム数を特定する。
【０１０７】
分析部１５２が他の測定地点「病室ｎ」におけるユーザ端末６０と、各ＡＰ５０とのローミング通信状況を分析する処理は、上記処理と同様であるため、説明を省略する。分析部１５２は、特定したフレーム数と、電波強度との組を、ローミング通信状況として、分析結果データ１４４に登録する。
【０１０８】
ところで、分析部１５２は、上記処理に加えて、「電波占有率」を算出しても良い。以下において、分析部１５２が、電波占有率を算出する処理の一例について説明する。例えば、電波占有率は、式（１）で定義される。式（１）において、Ｔ１は、測定時間のうち、フレームがチャンネル上で伝送されている時間に対応する。Ｔ２は、測定時間のうち、チャンネル上でフレームが流れていない時間に対応する。
【０１０９】
電波占有率＝Ｔ１／（Ｔ１＋Ｔ２）・・・（１）
【０１１０】
例えば、分析部１５２は、個々のフレームがチャンネル上で伝送するのに要した時間を、同一チャネル上のすべてのフレームについて加算することで、Ｔ１を算出することができる。分析部１５２は、式（１）に基づき、各チャンネルの電波占有率を算出する。図１１は、各チャンネルの電波占有率の一例を示す図である。図１１について、縦軸は電波占有率に対応する軸であり、横軸はチャンネルに対応する軸である。
【０１１１】
図６の説明に戻る。表示制御部１５３は、分析結果データ１４４を表示部１３０に表示させる処理部である。例えば、表示制御部１５３は、図９および図１０に示した分析結果データ１４４ａ，１４４ｂを並べて、表示部１３０に表示する。また、表示制御部１５３は、図１１に示した電波占有率の情報を合わせて表示しても良い。
【０１１２】
ここで、表示制御部１５３は、分析結果データ１４４を表示させる場合に、閾値による良否判定を行い、判定結果を、分析結果データ１４４と合わせて表示する。
【０１１３】
表示制御部１５３の表示制御を、図９に示す分析結果データ１４４ａを用いて説明する。以下において、データフレーム数、平均ビットレート、リトライ率、ローミング安定状況、ローミング通信状況に対する表示制御について順に説明する。
【０１１４】
表示制御部１５３が実行するデータフレーム数に関する表示制御について説明する。例えば、表示制御部１５３は、データフレーム数の数値が、５０未満になる場合には、該当する数値を強調表示する。
【０１１５】
表示制御部１５３が実行する平均ビットレートに関する表示制御について説明する。表示制御部１５３は、平均ビットレートに応じて、段階的に強調表示を行う。表示制御部１５３は、平均ビットレートが１５〜３０Ｍｂｐｓである場合には、該当する数値を、青色で強調表示する。表示制御部１５３は、平均ビットレートが１５Ｍｂｐｓ未満である場合には、該当する数値を、赤色で強調表示する。
【０１１６】
表示制御部１５３が実行するリトライ率に関する表示制御について説明する。例えば、表示制御部１５３は、リトライ率に応じて、段階的に強調表示を行う。表示制御部１５３は、リトライ率が４０％〜７０％である場合には、該当する数値を、青色で強調表示する。表示制御部１５３は、リトライ率が７０％以上である場合には、該当する数値を、赤色で強調表示する。
【０１１７】
表示制御部１５３が実行するローミング通信状況に関する表示制御について説明する。例えば、表示制御部１５３は、フレーム送受信を行ったＡＰ５０の電波強度に基づき、強調表示を行う。例えば、表示制御部１５３は、フレーム送受信を行ったＡＰ５０の電波強度が、−６５ｄＢｍ以下となる数値を強調表示する。
【０１１８】
次に、本実施例に係るキャプチャ装置７０および測定装置１００の処理手順について説明する。図１２は、本実施例に係るキャプチャ装置の処理手順を示すフローチャートである。図１２に示すように、キャプチャ装置７０の登録部７６ａは、測定時間情報７５ａを受け付ける（ステップＳ１０１）。
【０１１９】
登録部７６ａは、測定地点の情報を受け付ける（ステップＳ１０２）。登録部７６ａは、開始指示を受け付けたか否かを判定する（ステップＳ１０３）。登録部７６ａは、開始指示を受け付けていない場合には（ステップＳ１０３，Ｎｏ）、再度、ステップＳ１０３に移行する。一方、登録部７６ａは、開始指示を受け付けた場合には（ステップＳ１０３，Ｙｅｓ）、ステップＳ１０４に移行する。
【０１２０】
登録部７６ａは、フレームのキャプチャを開始する（ステップＳ１０４）。登録部７６ａは、測定時間経過後、フレームのキャプチャを終了する（ステップＳ１０５）。登録部７６ａは、フレーム格納テーブル１４１に、フレームに関する情報を登録する（ステップＳ１０６）。
【０１２１】
登録部７６ａは、次の測定値地点があるか否かを判定する（ステップＳ１０７）。登録部７６ａは、次の測定地点がある場合には（ステップＳ１０７，Ｙｅｓ）、ステップＳ１０２に移行する。一方、登録部７６ａは、次の測定地点がない場合には（ステップＳ１０７，Ｎｏ）、処理を終了する。
【０１２２】
なお、図１２のステップＳ１０３において、登録部７６ａは、開始指示を受け付けたか否かを判定していたが、これに限定されるものではない。例えば、登録部７６ａは、ビーコン等の信号を基にして、測定地点に到着したか否かを判定し、測定地点に到着した場合に、ステップＳ１０４の処理を開始しても良い。
【０１２３】
図１３は、本実施例に係る測定装置の処理手順を示すフローチャートである。図１３に示すように、測定装置１００の受付部１５１は、キャプチャ装置７０からフレーム格納テーブル１４１を取得する（ステップＳ２０１）。
【０１２４】
測定装置１００の分析部１５２は、フレーム格納テーブル１４１を分析し、分析結果データ１４４を生成する（ステップＳ２０２）。測定装置１００の表示制御部１５３は、各ユーザ端末６０の分析結果データ１４４を表示する（ステップＳ２０３）。
【０１２５】
次に、本実施例に係るシステムの効果について説明する。キャプチャ装置７０は、予め定められた複数の測定地点ごとに、測定時間の間、アクセスポイントと端末装置との無線通信で送受信されるフレームを取得して蓄積する。また、測定装置１００は、キャプチャ装置７０に蓄積されたフレームを基にして無線通信の特徴を分析し、分析結果を出力する。このため、本実施例に係るシステムによれば、作業員は、無線ＬＡＮの通信品質を適切に評価することができる。
【０１２６】
例えば、測定装置１００は、分析結果として、データフレーム数、平均ビットレート、リトライ率、最高ビットレート、ローミング安定状況、ローミング通信情報を、ユーザ端末６０毎に比較可能にして表示している。このため、作業員は、ユーザ端末６０に対する無線ＬＡＮの特徴を、一目で確認でき、総合的な判断を容易に行うことができる。
【０１２７】
また、本実施例に係るシステムでは、複数のユーザ端末６０が、各ＡＰ５０とやり取りするフレームをキャプチャして、分析を行うので、業務で実際に用いるユーザ端末６０固有の無線ＬＡＮ特性を判定することが容易となる。
【０１２８】
また、本実施例に係るシステムでは、フレーム格納テーブル１４１にフレームを登録する場合に、付加情報を付与するため、各測定地点で測定したファイルを容易に管理することが可能となる。
【０１２９】
また、本実施例に係るシステムでは、ＡＰ５０を介してサーバ５６から送信されるフレームと、ユーザ端末６０からＡＰ５０を介してサーバ５６に送信されるフレームをキャプチャするため、信頼性の高い分析を行うために必要な通信量を確保することができる。
【０１３０】
なお、本実施例では一例として、測定地点を病室として説明を行ったが、これに限定されるものではない。例えば、測定地点は、商業施設の各店舗、オフィスビルの各部屋などであっても良い。
【０１３１】
ところで、本実施例において説明した各処理のうち、自動的に行われるものとして説明した処理の全部または一部を手動的に行うこともでき、あるいは、手動的に行われるものとして説明した処理の全部あるいは一部を公知の方法で自動的に行うこともできる。この他、上記文書中や図面中で示した処理手順、制御手順、具体的名称、各種のデータやパラメタを含む情報については、特記する場合を除いて任意に変更することができる。
【０１３２】
さらに、各装置にて行われる各処理機能は、その全部または任意の一部がＣＰＵおよび当該ＣＰＵにて解析実行されるプログラムにて実現され、あるいは、ワイヤードロジックによるハードウェアとして実現され得る。
【符号の説明】
【０１３３】
５  台車
６  バッテリー
５０ａ，５０ｂ，５０ｃ，５０ｄ  ＡＰ
５５    ネットワーク
５６    サーバ
６０ａ，６０ｂ  ユーザ端末
７０    キャプチャ装置
１００    測定装置
【図１】
0006549445.tif 000002
【図２】
0006549445.tif 000003
【図３】
0006549445.tif 000004
【図４】
0006549445.tif 000005
【図５】
0006549445.tif 000006
【図６】
0006549445.tif 000007
【図７】
0006549445.tif 000008
【図８】
0006549445.tif 000009
【図９】
0006549445.tif 000010
【図１０】
0006549445.tif 000011
【図１１】
0006549445.tif 000012
【図１２】
0006549445.tif 000013
【図１３】
0006549445.tif 000014